(57)【要約】      （修正有）【課題】連発のみならず単発も操作でき、暴発が起きにくい６連回転式輪ゴム銃を提供する。【解決手段】輪ゴム３を、銃身部７の係止部５と、回転部１１の凸部１３に係止し、回転部１１を後退回転させ、引き金２１を戻してストッパー１５を後退回動させ、ストッパー１５のコの字形状の下辺１９の先端が、凸部１３に接し、回転部１１を静止させ、輪ゴム３を充填する。そして、発射のために引き金２１を引くと、ストッパー１５が前進回動し、回転部１１も前進回転方向へ回転し、輪ゴム３を係止していた凸部１３が十分に前傾した姿勢になると、凸部１３から輪ゴム３の係止が外れ、輪ゴム３が発射される。さらに、ストッパー１５が前進回動すると、コの字形状の下辺１９の先端から凸部１３が離れ、これにより、回転部１１が勢いよく前進回転しようとするが、コの字形状の上辺１７の先端が、離れた凸部１３の前進回転側に隣接する凸部１３の上側に接し、回転が止まる。【選択図】図１
0003146506.tif 000002
【実用新案登録請求の範囲】
【請求項１】
輪ゴムの一端を係止する係止部を有する銃身部と、前記銃身部の後方に設けられて輪ゴムの後端を係止する凸部が周方向に等間隔に６個外側に向かって設けられる回転部と、前記輪ゴムに引っ張られて生じる前記回転部の前進回転を前記凸部に接して制御するストッパーと、このストッパーに一体的に設けられる引き金と、銃身部の後方に一体的に設けられる握部と、を有する輪ゴム銃において、
前記ストッパーは、前記回転部と略水平位置で回動軸周りに回動可能に設けられ、コの字形状を有し、このコの字形状は、前記凸部の隣接する２個を概略抱持する位置に設けられ、前記コの字形状を構成する上辺と下辺の長さは、前記ストッパーが前進回動すると、上辺の先端が、前記隣接する２個のうち前進回転側の凸部に接し、前記コの字形状を構成する下辺の先端が、前記隣接する２個のうち後退回転側の凸部の更に後退回転側に隣接する凸部から離れ、逆に、前記ストッパーが後退回動すると、上辺の先端が、前進回転側の凸部から離れ、下辺の先端が、後退回転側の凸部の更に後退回転側に隣接する凸部に接する長さに設定され、前記６個の凸部の方向は、前記回転部の回転軸から、前進回転方向へ所定距離ずれることで、前記６個の凸部は螺旋状に設けられることを特徴とする6連回転式輪ゴム銃。
【考案の詳細な説明】
【技術分野】
【０００１】
この考案は、輪ゴムを飛ばして遊べる玩具の輪ゴム銃の構造に関する。
【背景技術】
【０００２】
輪ゴムを飛ばして遊べる玩具の輪ゴム銃として、特許文献１が存在する。この輪ゴム銃は、輪ゴムの一端を係止する係止部を有する銃身部の後方に、グリップと呼ばれる握部が一体的に設けられる。銃身部の後方には、シリンダーと呼ばれる回転部が設けられる。この回転部には、６個の凸部が放射状に外側に向かって設けられ、輪ゴムの後端を係止する。輪ゴムに引っ張られて生じる回転部の回転は、凸部に接するストッパーによって制御される。このストッパーには一体的に引き金が設けられる。引き金を引くと、６個の輪ゴムが、連発できる。
【特許文献１】実用新案公開平7-41291
【考案の開示】
【考案が解決しようとする課題】
【０００３】
しかしながら、特許文献１の輪ゴム銃の構造では、引き金を引いた瞬間、連発、すなわち連続的に輪ゴムが発射されることになり、単発、すなわち一発一発発射する操作は、難しい。
このことを改善するために、特許文献１の如きいわば棒状のストッパーを改良し、コの字形状のストッパーを用いることが考えられる。すなわち、このコの字形状は、凸部の隣接する２個を概略抱持する位置に設けられ、ストッパーが前進回動すると、コの字形状を構成する上辺の先端が、２個のうち上側の凸部に接し、下辺の先端が、２個のうち下側の凸部から離れ、逆に、ストッパーが後退回動すると、上辺の先端が、上側の凸部から離れ、下辺の先端が、下側の凸部に接する構造とすることも仮定される。
【０００４】
この仮定された構造では、連発のみならず単発も操作できる。
しかしながら、コの字形状のストッパーは、放射状に設けられ隣接する２個の凸部を十分な確度でストップできず、暴発が起きやすい。
この考案は、以上の問題点を解決するために、連発のみならず単発も操作でき、暴発が起きにくい6連回転式輪ゴム銃を提供することを目的とする。
【課題を解決するための手段】
【０００５】
以上の課題を解決するために、本考案は、輪ゴムの一端を係止する係止部を有する銃身部と、前記銃身部の後方に設けられて輪ゴムの後端を係止する凸部が周方向に等間隔に６個外側に向かって設けられる回転部と、前記輪ゴムに引っ張られて生じる前記回転部の前進回転を前記凸部に接して制御するストッパーと、このストッパーに一体的に設けられる引き金と、銃身部の後方に一体的に設けられる握部と、を有する輪ゴム銃において、
前記ストッパーは、前記回転部と略水平位置で回動軸周りに回動可能に設けられ、コの字形状を有し、このコの字形状は、前記凸部の隣接する２個を概略抱持する位置に設けられ、前記コの字形状を構成する上辺と下辺の長さは、前記ストッパーが前進回動すると、上辺の先端が、前記隣接する２個のうち前進回転側の凸部に接し、前記コの字形状を構成する下辺の先端が、前記隣接する２個のうち後退回転側の凸部の更に後退回転側に隣接する凸部から離れ、逆に、前記ストッパーが後退回動すると、上辺の先端が、前進回転側の凸部から離れ、下辺の先端が、後退回転側の凸部の更に後退回転側に隣接する凸部に接する長さに設定され、前記６個の凸部の方向は、前記回転部の回転軸から、前進回転方向へ所定距離ずれることで、前記６個の凸部は螺旋状に設けられることを特徴とする6連回転式輪ゴム銃である。
【考案の効果】
【０００６】
本考案によれば、輪ゴムの一端を銃身部の係止部に係止し、輪ゴムの後端を回転部の凸部に係止し、よって、輪ゴムを充填する。そして、回転部を後退回転（図中右回転）させる。この状態で、引き金を戻してストッパーを後退回動（図中右回動）させ、ストッパーのコの字形状の下辺の先端が、凸部に接し、回転部を静止させる。その後、次の前進回転（図中左回転）側の凸部に、同様に輪ゴムを充填する。このようにして、例えば全ての凸部に、輪ゴムを充填する。
【０００７】
そして、発射のために引き金を引くと、ストッパーが前進回動（図中左回動）し、ストッパーのコの字形状の下辺が後方（図中右方向）へ移動するので、回転部も徐々に前進回転方向へ徐々に回転する。これにより、やがて、輪ゴムを係止していた凸部が十分に前傾した姿勢になると、凸部から輪ゴムの係止が外れ、輪ゴムが発射される。
【０００８】
さらに、ストッパーが前進回動すると、コの字形状の下辺の先端から凸部が離れ、これにより、回転部が勢いよく前進回転しようとするが、コの字形状の上辺の先端が、離れた凸部の前進回転側に隣接する凸部の上側に接し、回転が止まる。
次に、引き金を戻してストッパーを後退回動させ、ストッパーのコの字形状の下辺の先端が、次の後退回転側の凸部に接し、元の状態に戻る。
これらの一連の動作により、単発の操作が容易に行える。
また、以上の引き金を引いたり戻したりする速さを、速く繰り返して操作すれば、これらの一連の動作が繰り返して生じ、連発の操作が容易に行える。
【０００９】
さらに、６個の凸部は螺旋状に設けられ、よって凸部の方向は、回転部の回転軸から回転方向へ所定距離ずれている。このため、螺旋状ではなく放射状である場合に比較して、輪ゴムの充填状態で、ストッパーのコの字形状の下辺の先端が、凸部に、十分に深い位置で接し、回転部を安全に停止させる。また、同様に比較して、輪ゴムの発射直後に、コの字形状の上辺の先端が、凸部の上側に十分に深い位置で接し、回転を安全に停止する。このため、暴発が起きにくい。
【考案を実施するための最良の形態】
【００１０】
この考案の実施形態を、図１乃至図９に示す。
［全体概略］
図１に示すように、この輪ゴム銃１は、輪ゴム３の一端を係止する係止部５を有する銃身部７の後方に、握部９が一体的に設けられる。銃身部７の後方には、回転部１１が設けられる。この回転部１１には、６個の凸部１３が螺旋状に外側に向かって設けられ、輪ゴム３の後端を係止する。輪ゴム３に引っ張られて生じる回転部１１の回転は、凸部１３に接するストッパー１５によって制御される。ストッパー１５はコの字形状を有し、凸部１３の隣接する２個１３ｂ、１３ｃを概略抱持する位置に設けられる。ストッパー１５が前進回動すると、コの字形状を構成する上辺１７の先端が、２個のうち前進回転側の凸部１３ｂに接し、下辺１９の先端が、２個のうち後退回転の凸部１３ｃの更に後退回転側に隣接する凸部１３ｄから離れる。逆に、ストッパー１５が後退回動すると、コの字形状の上辺１７の先端が、前進回転側の凸部１３ｂから離れ、下辺１９の先端が、後退回転の凸部１３ｃの更に後退回転側に隣接する凸部１３ｄに接する構造となっている。このストッパー１５には一体的に引き金２１が設けられる。
そして、引き金２１を引くと、ストッパー１５が前進回動し、引き金２１を緩めると、ストッパー１５が後退回動する。引いたり緩めたりする速さを操作することで、６個の輪ゴム３を、連発、または単発できる。
【００１１】
［銃身や握部９など］
銃身や握部９などは、銃の本体を構成する。
銃身部７は細長い板状の部材で、先端には、輪ゴム３の一端を係止する係止部５としての突起が設けられる。銃身部７の後方には、銃身部７を左右から２枚のベース板２３が挟んで一体的に設けられる。図中では手前側のベース板２３を省略してある。この２枚のベース板２３の間に、回転部１１やストッパー１５が設けられる。２枚のベース板２３の後方には、板状の握部９が挟まれ一体的に設けられる。
【００１２】
［回転部１１］
回転部１１は、２枚のベース板２３の間に設けられ、ベース板２３に直交して配置される回転軸を有する。回転部１１は、凸部１３が周方向に等間隔に６個、外側に向かって一体的に設けられる。これらの凸部１３が、輪ゴム３の後端を係止する。凸部１３の方向は、回転部１１の回転軸から、前進回転側へ所定距離δ（図１（Ｂ）参照）ずれることで、６個の凸部１３は螺旋状に設けられる。
【００１３】
［ストッパー１５］
ストッパー１５は、２枚のベース板２３の間で、ベース板２３に直交して配置される回動軸２５の周りに回動可能に設けられる。そして、回転部１１の後方に位置する。また、回動軸２５は、銃身を水平にした状態で、回転部１１の回転軸２７と水平位置である。
【００１４】
ストッパー１５は、全体がコの字形状を有する。このコの字形状は、回転部１１に向かって開口し、開口部２９に設けられる凸部１３の隣接する２個を、すこし遊びを持って、概略抱持する。
そして、コの字形状を構成する上辺１７と下辺１９の長さは、次のように設定される。すなわち、ストッパー１５が前進回動すると、上辺１７の先端が、隣接する２個のうち図中上側（前進回転側のこと、以下同じ）の凸部１３に接し、コの字形状を構成する下辺１９の先端が、隣接する２個のうち図中下側（後退回転側のこと、以下同じ）の凸部１３から離れる。逆に、ストッパー１５が後退回動すると、上辺１７の先端が、上側の凸部１３から離れ、下辺１９の先端が、下側の凸部１３に接する、長さに設定される。
【００１５】
ストッパー１５の下部には、一体的に引き金２１が設けられる。ストッパー１５を後退回動（図中右回動のこと、以下同じ）方向へ付勢するために、構成用輪ゴム３１が用いられる。すなわち、引き金２１の背側には、構成用輪ゴム３１の一端が係止され、他端は、銃身の後端に形成される係止箇所３３の前側に係止される。
【００１６】
「実施形態の操作手順」
図２から図５に示すように、この実施形態の輪ゴム銃１は、輪ゴム３の充填と発射の操作がなされる。
（充填）
すなわち、図２（Ａ）に示すように、銃身の先端の係止部５に、輪ゴム３の一端を係止し、輪ゴム３を後方へ引き伸ばし、ベース板２３の上部から突き出た凸部１３に、輪ゴム３の後端を係止する。
【００１７】
図２（Ｂ）に示すように、同時に、指で、凸部１３ａを後方へ引くことで回転部１１を後退方向へ回転（図中右６０度回転）させる。すると、輪ゴム３を係止した凸部１３ａの２つ後方の凸部１３ｃが、ストッパー１５のコの字形状の下辺１９を押しのけることで、後退回動方向へ付勢されているコの字形状をやや前進回動させ、よってコの字形状の下方へ外れ、外れるときにカチッと音がする。
【００１８】
この状態で、後退回動方向へ付勢されているコの字形状の下辺１９の先端が前側（図中左側）へ移動し、輪ゴム３の力で前進回転しようとする回転部１１の、２つ後方（後退回転側）の凸部１３ｃに接することで回転を押しとどめて安定し、輪ゴム３の装填が完了する。
【００１９】
図２（Ｃ）に示すように、この動作を６回繰り返すことで、回転部１１には、凸部１３ａ〜１３ｆの一個づつに輪ゴム３が装填され、合計６本の輪ゴム３が装填される。
なお、充填された各輪ゴム３は、各長手方向の中央部分が、回転軸２７の上側に接して充填されるので、回転部１１は常に前進回転方向へ力を受ける。また、輪ゴム装填数に制限はなく、一個の凸部１３に複数の輪ゴム３を装填できる。
【００２０】
（発射）
発射の操作などを図３から図５に示す。これらの図は、全部で１５の小さな駒図［１］〜［１５］で構成され、各駒図は、一本の輪ゴム３を発射し、もとの動作に戻るまでの一連の動きを４度刻みで図示するものである。
【００２１】
駒図［１］に示すように、輪ゴム３は２本が装填されている状態を示す。各輪ゴム３は、回転部１１を前進回転（図中左回転）方向へ回転しようとする。ストッパー１５は構成用輪ゴム３１により、後退回動（図中右回動）方向へ付勢される。そして、ストッパー１５のコの字形状の下辺１９の先端と凸部１３の接点は、凸部１３ｄの基部の深いところにあるので、回転部１１とストッパー１５は静止し安定している。
【００２２】
そして、引き金２１を引くと、ストッパー１５が前進回動し、駒図［２］から［７］に示すように、コの字形状の下辺１９の先端と凸部１３ｄの接点は、凸部１３ｄの基部の深いところから先端（図中下端）方向の浅いところへ移動し、よって回転部１１も徐々に前進回転（図中左回転）方向へ回転する。やがて、駒図に示すように、輪ゴム３を係止していた最前の凸部１３ａが十分に前傾した姿勢になると、凸部１３ａから輪ゴム３の係止が外れ、輪ゴム３が発射される。
【００２３】
その後、駒図［８］に示すように、コの字形状の下辺１９の先端から凸部１３ｄが離れ、これにより、回転部１１が前進方向へ勢いよく回転しようとする。しかし、駒図［９］に示すように、ストッパー１５は十分に前進回動した姿勢であるため、回転部１１は遊びの分だけ勢いよく回転した後に、下辺１９の先端から離れた凸部１３ｄの前進側に隣接する凸部１３ｃの上側に、ストッパー１５の上辺１７の先端が接し、よってカチリと回転が止まる。
【００２４】
そして、駒図［１０］に示すように、引き金２１を緩め始めると、構成用輪ゴム３１によりストッパー１５は後退回動方向へ戻る。同時に、回転部１１はやや前進回転方向へ回転し始める。
そして、駒図［１１］から［１５］に示すように、さらに引き金２１を緩めると、構成用輪ゴム３１によりストッパー１５はさらに後退方向へ回動し、回転部１１は前進方向へ回転する。これにより、ストッパー１５のコの字形状の上辺１７の先端が、上側の凸部１３ｃから離れ、回転部１１は勢いよく回転した後に、ストッパー１５の下辺１９の先端が、二つ下側の凸部１３ｅに接する（駒図［１５］）。これにより、元の状態（駒図［１］）に戻る。
【００２５】
以上のように、これらの一連の動作により、単発の操作が容易に行える。
また、以上の引き金２１を引いたり緩めたりする速さを、速く繰り返して操作すれば、これらの一連の動作が繰り返して生じ、連発の操作が容易に行える。よって、６個の輪ゴム３を、連発、または単発できる。
【００２６】
「比較実験」
以上の実施形態では、６個の凸部１３は螺旋状に設けられるので、暴発が起きにくい。
その原理は以下の通りである。すなわち、螺旋状とすることで、凸部１３の方向は、回転部１１の回転軸２７から前進回転側へ所定距離δ（図１（Ｂ）参照）ずれている。このため、螺旋状ではなく放射状（特許文献１参照）である場合に比較して、輪ゴム３の充填状態で、ストッパー１５のコの字形状の下辺１９の先端が、凸部１３に、十分に深い位置で接し、回転部１１を安全に止められる。
【００２７】
また、同様に比較して、輪ゴム３の発射後に、コの字形状の上辺１７の先端が、凸部１３の上側に十分に深い位置で接し、回転を安全に止められる。このため、暴発が起きにくい。
以上のように、十分に深い位置での接触が行われ、回転部１１を安全に止められることの検証を、以下の比較実験で、行った。
【００２８】
（１）実験条件
図６（Ａ）に、実施形態の螺旋状の回転部１１とストッパー１５を示す。
図６（Ｂ）に、比較対象とする放射状の回転部１１とストッパー１５を示す。
平等な条件にするために、両者は、ともに以下の条件を満たす。
ａ）回転部１１の回転軸２７とストッパー１５の回動軸２５は、水平位置とする。
ｂ）回転部１１の回転半径は同じ21ｍｍとする。
ｃ）回転部１１の回転軸２７とストッパー１５の回動軸２５との距離は同じ28ｍｍとする。
ｄ）水平にしたストッパー１５のコの字形状の上辺１７先端の位置と、この上辺１７に最も近い凸部１３の先端上部の位置との位置関係及び距離を同じに設定する。すなわち、凸部１３の先端上部より右下30度方向に３ｍｍ離れてコの字形状の上辺１７先端が位置する。この位置関係及び距離を設定した理由は、回転を始めた回転部１１の凸部１３と、ストッパー１５のコの字形状の上辺１７が接触することなく、回転がスムーズに行われ、かつ両者が現実的に最短距離であるようにするためである。
【００２９】
ｅ）水平にしたストッパー１５のコの字形状の下辺１９先端の位置と、上記ｄ）の凸部１３の後退回転側に隣接する凸部１３の先端上部の位置との位置関係及び距離を同じに設定する。すなわち、凸部１３の先端下部より垂直下方向に3ｍｍ離れてコの字形状の下辺１９が位置する。この位置関係及び距離を設定した理由は、輪ゴム装填時を考慮したものである。すなわち、輪ゴム装填は、回転部１１の上部の凸部１３に輪ゴム３を係止した後、回転部１１を後退回転方向に60度回転させることで行うが、このとき、輪ゴム３を係止した凸部１３の２つ後方の凸部１３が、ストッパー１５のコの字形状の下辺１９を押しのけることで、後退回動方向へ付勢されているコの字形状をやや前進回動させ、よってコの字形状の下方へ外れる。この一連の動作をスムーズに行う最も適するようにしたものである。
【００３０】
ｆ）回転部１１の凸部１３の太さは同じ5ｍｍとする。
ｇ）水平にしたストッパー１５のコの字形状の下辺１９と、この下辺１９の先端に接する凸部１３とは、直角に接している。
ｈ）凸部１３の先端の片側の切欠は、同じ形状と寸法にする。
【００３１】
（２）実験の様子
図７，図８において、実際の実験の様子を示す。これらの図は本来、図３から図５と同様に全部で１５の小さな駒図［１］〜［１５］で構成され、各駒図は、一本の輪ゴム３を発射し、もとの動作に戻るまでの一連の動きを４度刻みで図示するものであるが、各動作は図３から図５と同じであるので、途中、及び後半の駒図を省略する。
これらの実際の駒図から（１）実験条件のｄ）ｅ）の位置関係及び距離が、スムーズな回転や動作を行う機能を十分に果たすことが確認された。
【００３２】
（３）実験結果
暴発を起こすタイミングには二つある。
その1は、駒図［１０］に相当し、輪ゴム３の発射直後に、ストッパー１５のコの字形状の上辺１７の先端が、回転部１１の凸部１３ｃの上側に接する位置が浅く、回転部１１の勢いのある前進回転を受け止めきれず、ストッパー１５ははじかれ、そのまま前進回転が行われてしまう場合である。受け止めが十分に行われるためには、駒図［１０］において、ストッパー１５の上辺１７の先端が、凸部１３ｃの上側に、十分に深い位置で接する必要がある。
【００３３】
その２は、駒図［１４］に相当する。すなわち、輪ゴム３の発射後に引き金２１を戻し（駒図［１０］〜［１４］）、ストッパー１５のコの字形状の上辺１７の先端が、上側の凸部１３ｃから離れ、下辺１９の先端が、下側の凸部１３に接し（駒図［１５］）充填状態に戻る際に、接する位置が浅く、回転部１１の勢いのある前進回転を受け止めきれず、ストッパー１５ははじかれ、そのまま前進回転が行われてしまう場合である。受け止めが十分に行われるためには、駒図［１４］において、ストッパー１５の下辺１９の先端が、回転部１１の回転半径内に十分に進入し、凸部１３ｃに、十分に深い位置で接する必要がある。
【００３４】
実験結果を示す図９において、実際に、接する深さを比較して測定する。
駒図［１０］に関して、ストッパー１５のコの字形状の上辺１７の先端が回転部１１の凸部１３の上側に接する深さは、本実施形態の場合（同図［１０Ａ］）では、１０ｍｍであり、比較例の場合（同図［１０Ｂ］）では、２ｍｍである。約5倍もの違いがある。よって、十分深い位置での接触がなされ、本実施形態は暴発しにくい。なお、比較例の場合、凸部１３の向きが上向きであるためスリップを引き起こしやすいのに比べ、本実施形態は、下向きでありスリップを引き起こしにくいので、より暴発しにくい。
【００３５】
駒図［１４］に関して、ストッパー１５の下辺１９の先端が回転部１１の回転半径内に進入する深さは、本実施形態の場合（同図［１４Ａ］）では、７，５ｍｍであり、比較例の場合（同図［１４Ｂ］）では、１，５ｍｍである。約5倍もの違いがある。よって、十分深い位置での接触がなされ、本実施形態は暴発しにくい。なお、以上のことから本実施形態は、かなり早い段階で、回転翼の回転半径内に進入し凸部１３を受け止める準備をし、受け止め時には元の状態に非常に近付いており、よって回転部１１の回転の勢いを殺し、接触の深さだけではなく、暴発を防止する優位性がある。
【００３６】
以上二つの暴発の場面で、回転部１１は６本の輪ゴム３による強い力で前進回転方向へ引っ張られ、回転部１１の凸部１３がストッパー１５から張られた瞬間には、強い力で高速で回転し始める。この回転を安全に停止するには、ストッパー１５が凸部１３へ接触する時期を速く、十分に深く行うことが必要であり、この必要性を、螺旋状の凸部１３を有する回転部１１とこの字形状のストッパー１５が初めて満たすことを発明者は見いだした。
【００３７】
「他の実施形態」
以上の実施形態では、凸部１３の先端は、細長い四角の先端の片側に三角形の切欠が設けられる形状であったが、他の実施形態では、必ずしもこの切欠は必要ではない。あるいは逆に、より深い切欠を設けることも可能である。
また、以上の実施形態では、引き金２１を戻すには、引き金２１を緩めれば構成用輪ゴム３１の働きで自動的に戻るものであったが、他の実施形態では、引き金２１に適度なきつい摩擦をもたせ、引いたり戻したりするのを、全て手動にすることも可能である。  
【図面の簡単な説明】
【００３８】
【図１】（Ａ）は、この考案の一実施形態に係る輪ゴム銃の全体図、（Ｂ）は、（Ａ）の回転部とストッパーを拡大して示す図である。
【図２】（Ａ）（Ｂ）（Ｃ）は、図１の輪ゴム銃に輪ゴムを充填する操作手順を示す図である。
【図３】図１の輪ゴム銃による発射の操作などを示す全部で１５の駒図のうち、始めの［１］〜［６］を示す図である。
【図４】図１の輪ゴム銃による発射の操作などを示す全部で１５の駒図のうち、中間の［７］〜［１２］を示す図である。
【図５】図１の輪ゴム銃による発射の操作などを示す全部で１５の駒図のうち、終わりの［１３］〜［１５］を示す図である。
【図６】（Ａ）は、本発明の輪ゴム銃の作用を示す比較実験を行うための本実施形態の螺旋状の回転部とストッパーを示す図、（Ｂ）は、比較対象とする放射状の回転部とストッパーを示す図である。
【図７】図６による比較実験の様子の前半を示すもので、図３〜図５に示す駒図に対応する駒図を示し、［１Ａ］〜［４Ａ］は本実施形態を示すもので、［１Ｂ］〜［４Ｂ］は比較例を示すものである。
【図８】図６による比較実験の様子の後半を示すもので、図３〜図５に示す駒図に対応する駒図を示し、［５Ａ］〜［７Ａ］、［１０Ａ］は本実施形態を示すもので、［５Ｂ］、［１０Ｂ］は比較例を示すものである。
【図９】実験結果を寸法とともに示す図であって、図３〜図５に示す駒図に対応する駒図を示し、［１０Ａ］、［１４Ａ］は本実施形態を示すもので、［１０Ｂ］、［１４Ｂ］は比較例を示すものである。
【符号の説明】
【００３９】
１…輪ゴム銃、３…輪ゴム、５…係止部、７…銃身部、９…握部、１１…回転部、１３…凸部、１５…ストッパー、１７…上辺、１９…下辺、２１…引き金、２３…ベース板、２５…回動軸、２７…回転軸、２９…開口部、３１…構成用輪ゴム、３３…係止箇所。
【図１】
0003146506.tif 000003
【図２】
0003146506.tif 000004
【図３】
0003146506.tif 000005
【図４】
0003146506.tif 000006
【図５】
0003146506.tif 000007
【図６】
0003146506.tif 000008
【図７】
0003146506.tif 000009
【図８】
0003146506.tif 000010
【図９】
0003146506.tif 000011